(57)【要約】【課題】大きな改造を必要とすることなく、スイッチの追加や交換が必要となった場合でも簡単に追加や交換を行うことができるスイッチ取付板へのスイッチ取付け構造を提供すること。【解決手段】本発明にかかるスイッチ取付板へのスイッチ取付け構造は、操作部２３とケース２４とを備えたスイッチ１９が複数取り付けられるスイッチ取付板１８へのスイッチ取付け構造において、スイッチ１９は、突出部２５を有し、スイッチ取付板１８には、穴２０とガイド溝２１と切欠き２６とを設け、突出部２５をガイド溝２１に沿ってスライドさせることで穴２０に複数のスイッチ１９を取付け可能としたことを特徴とする。【選択図】図５
2013229134.tif 000002
【特許請求の範囲】
【請求項１】
接続される機器の配線の導通及び切断を切り替える操作部と前記操作部を保持するケースとを備えたスイッチが複数取り付けられるスイッチ取付板へのスイッチ取付け構造において、
前記スイッチは、前記操作部を上方から見たときその外形が方形状であり、前記操作部周辺の前記方形状の対向する１組の辺縁部に前記操作部が取り付けられる面と平行な方向に突出する突出部を有し、
前記スイッチ取付板には、矩形状の穴と前記穴の前記スイッチ取付板裏面短手方向両端部に前記突出部を保持するガイド溝と前記穴の一部に前記ガイド溝か露出する切欠きとを設け、前記穴の短手方向の幅は前記突出部間に存在する前記操作部の長さよりも大きく前記突出部の両端間の長さよりも小さく設定し、
前記突出部を前記切欠きからガイド溝上に配置し、前記突出部を前記ガイド溝に沿ってスライドさせることで前記穴に複数のスイッチを取付け可能としたことを特徴とするスイッチ取付板へのスイッチ取付け構造。
【請求項２】
請求項１において、前記穴に取付けられた複数のスイッチそれぞの間に間仕切り材を設けたことを特徴とするスイッチ取付板へのスイッチ取付け構造。
【請求項３】
請求項２において、前記間仕切り材は前記穴の短手方向両端の縁部に係合して取付けられることを特徴とするスイッチ取付板へのスイッチ取付け構造。
【請求項４】
請求項２において、前記間仕切り材は前記ガイド溝に保持されて取付けられることを特徴とするスイッチ取付板へのスイッチ取付け構造。
【請求項５】
請求項２乃至４のいずれかにおいて、前記穴は前記切欠きが前記穴の一端に設けられたＴ宇形状に形成され、前記間仕切り材は前記穴の一端において前記切欠きを塞いで固定されることを特徴とするスイッチ取付板へのスイッチ取付け構造。
【発明の詳細な説明】
【技術分野】
【０００１】
本発明はスイッチ取付板にスイッチを取付けるスイッチ取付け構造の改良に関する。
【背景技術】
【０００２】
従来、スイッチ取付板の形状は、図７、図８に示すような形状であった。図８に示すスイッチ取付板１００には、スイッチ１０１を裏面から取り付けた際に操作部を意匠面側に露出させる切欠き穴１０２が、取り付けるスイッチ１０１と同一員数設けられている。また、スイッチ取付板１００の意匠面には、スイッチ１０１をスイッチ取付板１００に締結するため、締結穴が設けられている。そして図８に示すようにスイッチ１０１は、スイッチ取付板１００に裏面より押し当て、ネジ１０３にて締結される。
【０００３】
従来、スイッチ取付板１００に新たに操作スイッチを追加する場合、筺体に取付けられているスイッチ取付け板１００を筺体から取外し、スイッチ取付板１００よりスイッチ１０１を取外して、追加するスイッチを含めた員数の切欠き穴を有する新たなスイッチ取付板を準備して、この新しいスイッチ取付板に、前述の作業にて取り外したスイッチ１０１及び追加するスイッチを取付け、スイッチ取付板を元の筺体へ取り付ける作業を行っていた。
【０００４】
しかしながら本構造によれば、筺体よりスイッチ取付板１００を着脱させる作業及びスイッチ取付板１００よりスイッチ１０１を着脱させる作業が生じるため、スイッチの追加に時間が掛かっていた。
【０００５】
また、このようなスイッチの追加構造に対してスイッチを任意の位置にスライド自在かつ着脱自在とする提案がなされていた(例えば特許文献１参照)。
【先行技術文献】
【特許文献】
【０００６】
【特許文献１】特開２００８−１９５１８４号公報
【発明の概要】
【発明が解決しようとする課題】
【０００７】
しかしながら、特許文献１に記載の技術では、スイッチを取り付けるスイッチホルダもスイッチ同様に着脱自在な構造とする必要があり、広く一般的な機器に適用することが困難である。
【０００８】
また、無線スイッチとすることで前述の構造を実現しているが、このような構造からも広く一般的な機器に適用することが困難であるのに加え、例えばエレベーターでは、有線スイッチのため、スイッチ間に隙間が生じると塵埃による接触不良等の問題も考えられる。さらにエレベーターに適用しようとしても、従来のスイッチ取付板をこのようなものに置き換えるには大規模な改造が必要になる。特にエレベーターの操作スイッチ部は、このような構造を採ると機械的に複雑な取付構造となるため、既設の機器をこのような構造に切り替える場合、スイッチ取付板の着脱作業性が悪く、作業時間が長引く虞があり、作業時間が長引くとエレベーターの利用が制限されてしまう等の問題もある。
【０００９】
本発明は前記課題に鑑みなされたものであり、大きな改造を必要とすることなく、スイッチの追加や交換が必要となった場合でも簡単に追加や交換を行うことができるスイッチ取付板へのスイッチ取付け構造を提供することを目的とする。
【課題を解決するための手段】
【００１０】
前記目的を達成するために本発明にかかるスイッチ取付板へのスイッチ取付け構造は、接続される機器の配線の導通及び切断を切り替える操作部と前記操作部を保持するケースとを備えたスイッチが複数取り付けられるスイッチ取付板へのスイッチ取付け構造において、前記スイッチは、前記操作部を上方から見たときその外形が方形状であり、前記操作部周辺の前記方形状の対向する１組の辺縁部に前記操作部が取り付けられる面と平行な方向に突出する突出部を有し、前記スイッチ取付板には、矩形状の穴と前記穴の前記スイッチ取付板裏面短手方向両端部に前記突出部を保持するガイド溝と前記穴の一部に前記ガイド溝か露出する切欠きとを設け、前記穴の短手方向の幅は前記突出部間に存在する前記操作部の長さよりも大きく前記突出部の両端間の長さよりも小さく設定し、前記突出部を前記切欠きからガイド溝上に配置し、前記突出部を前記ガイド溝に沿ってスライドさせることで前記穴に複数のスイッチを取付け可能としたことを特徴とする。
【発明の効果】
【００１１】
本発明によれば、大きな改造を必要とすることなく、スイッチの追加や交換が必要となった場合でも簡単に追加や交換を行うことができるスイッチ取付板へのスイッチ取付け構造を提供することができる。
【図面の簡単な説明】
【００１２】
【図１】本実施形態におけるエレベーター装置の概略構成を示す正面図である。
【図２】本実施形態における乗りかごの概略構成を示す見取図である。
【図３】本実施形態における乗りかご内運転盤の概略構成を示す斜視図である。
【図４】本実施形態におけるスイッチの構造を示す上面及び側面図である。
【図５】本実施形態におけるスイッチ取付け構造及びスイッチ取付板の構造を示す上面図である。
【図６】本実施形態におけるスイッチ取付け構造を示す図５のＡ−Ａ’及びＢ−Ｂ’での断面図である。
【図７】従来のスイッチ取付け構造を示す斜視及び正面図である。
【図８】従来のスイッチ取付け構造を示す図７のＣ−Ｃ’での断面図である。
【発明を実施するための形態】
【００１３】
以下、一実施例を挙げて本発明を詳しく説明する。本実施形態におけるスイッチ取付け構造はエレベーター装置に適用されている。図１は本実施形態におけるエレベーター装置の概略構成を示す正面図である。同図に示すエレベーター装置は、昇降路１内に敷設されたガイドレール２に案内されて昇降する乗りかご３及び釣合い錘４と、これらをつるべ式に連結する主ロープ５と、この主ロープ５を昇降路１の頂部で巻き掛けて駆動する巻上機６とを備えている。乗りかご３は、かご枠７と、かご室８とにより構成されている。
【００１４】
図２は本実施形態における乗りかご３の内部の概略構成を示す見取図である。同図に示すようにかご室８の構造は、図２に示すように、天井９と、かご床１０と、かご床１０の周囲に立設される側板１１と、側板１１に設置される運転盤１２とにより構成されている。また、図３は本実施形態における乗りかご内運転盤の概略構成を示す斜視図である。同図に示すように運転盤１２の構造は、カバー１３と、操作ボタン１４と、操作スイッチ部１５と、操作スイッチカバー１６と、これらを収納するケース１７とにより構成されている。操作ボタン１４と、操作スイッチ部１５と、操作スイッチカバー１６は、カバー１３に取付いている。
【００１５】
操作スイッチ部１５は、通常の使用状態では施錠された操作スイッチカバー１６により覆われており、通常は操作スイッチカバー１６を解錠するキーを持つ保守員や管理者のみが操作するものである。このような操作スイッチ部１５は、図５および図６に示すように、スイッチ取付板１８と、スイッチ１９とにより構成されている。
【００１６】
図４は本実施形態におけるスイッチ１９の構造を示す上面及び側面図である。本実施形態におけるスイッチ１９は、エレベーターを構成するさまざまな機器の配線に接続されているものである。そして図４に示すように、接続される機器の配線の導通及び切断を切り替える操作部２３と、操作部２３を保持するケース２４とを備えている。また図４（ｂ）に示すようにケース２４の下面側、即ち操作部２３が配置された面と対向する面には接続される機器からの配線を接続するための接続端子２７が設けられている。スイッチ１９は、図４（ａ）に示すように操作部２３を上方から見たときその外形が方形状をしており、操作部２３周辺の方形状の対向する１組の辺縁部に操作部２３が取り付けられる面と平行な方向に突出する突出部２５を有している。
【００１７】
図５は本実施形態におけるスイッチ取付け構造及びスイッチ取付板の構造を示す上面図、図６は本実施形態におけるスイッチ取付け構造を示す図５のＡ−Ａ’及びＢ−Ｂ’での断面図である。スイッチ取付板１８には、図４で説明したスイッチ１９が複数取り付けられている。そして図５（ｂ）に示すように、スイッチ取付板１８には、矩形状の穴である取付穴２０と、図６に示すように取付穴２０のスイッチ取付板１８裏面短手方向両端部に突出部２５を保持するガイド溝２１と、図５（ｂ）に示す取付穴２０の一部にガイド溝２１が露出する切欠き２６とが設けられている。
【００１８】
そして図５（ａ）に示すように取付穴２０の短手方向の幅Ｘは突出部２５間に存在する操作部２３の長さＹ（図４（ａ）または図５（ａ）参照）よりも大きく、突出部２５の両端間の長さＺ（図４（ａ）または図６（ａ）参照）よりも小さく設定されている。このような構成により、突出部２５を切欠き２６からガイド溝２１上に配置し、突出部２５をガイド溝２１に沿って取付穴２０の長手方向にスライドさせることで取付穴２０に複数のスイッチ１９の取付けが可能となっている。
【００１９】
スイッチ取付板１８に設けられた取付穴２０は、スイッチ１９をスライドさせて左右方向に複数のスイッチ１９を収容できる大きさにその長手方向の長さが設定されている。また本実施形態における取付穴２０の上下方向、即ち短手方向の大きさは、スイッチ１９の操作部２３よりわずかに大きい穴としている。このようにすることで、限られたスイッチ取付板１８のスペースに効率よくスイッチ１９を配置させることができる。またガイド溝２１は、スイッチ取付板１８の意匠面裏面に、取付穴２０の長手方向の辺と平行にかつ、同じ長さで設けている。また、スイッチ１９をスイッチ取付板１８の裏面のガイド溝２１上に載せるための切欠き２６は、取付穴２０の一部を、スイッチ取付板１８の意匠面よりガイド溝２１が露出する大きさに切り欠き、意匠面側からスイッチ１９を取付穴２０に挿入すると、前述の突出部２５が切欠き２６に挿入され、ガイド溝２１に保持される。この状態でスイッチ１９をスイッチ取付板１８の裏面のガイド溝２１上に載せ、スライドさせることで、突出部２５はスイッチ取付板１８の裏面とガイド溝２１との間に挿入され、スイッチ１９をスイッチ取付板１８に容易に取り付けることができる。
【００２０】
このような構成を持つ本実施形態におけるスイッチ取付板１８へのスイッチ付け替え作業は、スイッチ取付板１８にスイッチ１９を追加する場合またはスイッチ１９を取り付ける場合、まずカバー１３をケース１７より取り外す。そしてスイッチ取付板１８は、カバー１３に取り付けられた状態としたまま、スイッチ取付板１８に設けた取付穴２０より、スイッチ１９をスイッチ取付板１８へ意匠面より取り付ければよい。逆にスイッチ取付板１８からスイッチ１９の取り外しが必要な場合には、切欠き２６側のスイッチ１９を切欠き２６までスライドさせ、切欠き２６から突出部２５を外せばスイッチ１９も外れる。この動作を外したいスイッチが外されるまで繰り返し、その後、取り付けておくべきスイッチ１９を前述の取付動作に従って取り付ければよい。
【００２１】
なお、このようなスイッチ１９を取り付けた後、は、取付穴２０の切欠き２６と反対の方向に全てのスイッチ１９をスライドさせ、その状態でスイッチ１９を固定し、残りの取り付穴２０及び切欠き２６を板材等で塞いでおくと、スイッチ１９の動きが規制され、且つ、塵埃等の進入も防ぐことが可能である。
【００２２】
また、取付穴２０に取付けられた複数のスイッチ１９それぞの間に間仕切り材２２を設ける構成であってもよい。このように構成すればスイッチ１９の固定と隙間の閉塞を同時に行える上、見栄えもよいものとすることができる。なお、間仕切り材２２としては、板材で構成されておりヘガイド溝２１に突出部２５と同様に保持されて取付けられるような構成であれば、スイッチ１９と同様の取り付け手順で容易に取り付けることが可能である。このような構成をとる場合には、間仕切り材２２の幅方向（図４（ａ）中の左右方向）の大きさを切欠き２６の取付穴２０の長手方向における長さより小さい大きさとすることで、取付効率をあげることができる。
【００２３】
また、間仕切り材２２は取付穴２０の短手方向両端の縁部に係合して取付けられる構造であってもよい。本実施形態では図６（ｂ）に示すようにこのような形態をとっている。
【００２４】
本実施形態の間仕切り材２２は、スイッチ１９をスイッチ取付板１８へ必要員数取り付けた後、スイッチ１９同士の隙間へ、間仕切り材２２をスイッチ取付板１８の意匠面より取り付ける構造となっている。間仕切り材２２は、スイッチ取付板１８とガイド溝２１の凹みに合わせた形状の突起を設け、スイ、ツチ取付板１８の意匠面より押し込み取り付けるため、軟質の樹脂等とする。このことにより、間仕切り材２２に設けた突起が、ちょうどスイッチ取付板１８の取り付け穴２０の短手方向端面を保持するように、スイッチ取付板１８とガイド溝２１の凹みに入り込むことで、間仕切り材２２は、スイッチ取付板１８に固定される。これにより間仕切り材２２によって、スイッチ１９のスライドを制限することができる。このような形態の間仕切り材２２を設けると切欠き２６の長さに左右されない幅で設定できるため、汎用性を大きく取ることができる。特に、取付穴２０の長手方向の長さと同じ幅の間仕切り材２２としておき、スイッチ１９を取り付けた後、必要な長さに切断して取り付ける形態を採れば、スイッチ１９の数がどのようになっても、バランスよい間隔に調整したり、自分の好みの間隔でスイッチ１９を配置するなど使い勝手を向上できる。
【００２５】
さらに本実施形態では、取付穴２０は切欠き２６が取付穴２０の一端に設けられたＴ字形状に形成されており、間仕切り材２２は取付穴２０の切欠き２６側の一端においては切欠き２６も塞いで固定されるのがよい。このように構成することで、取り付けられたスイッチ１９をしっかりと固定することができると共に、隙間も発生しないため塵埃等が内部に侵入するなどの問題も発生しがたくできる。
【００２６】
また、前述の構成において、間仕切り材２２は切欠き２６の部位にスイッチ１９が配置された状態であってもスイッチ１９を固定できるように構成されているのがよい。即ち切欠き２６を塞ぐ間仕切り板２２は、スイッチ１９の大きさの穴とその穴を塞ぐキャップとを備えており、スイッチ１９が切欠き２６の部位にスイッチ１９が配置されていない状態においては、キャップを用いて穴を塞いで使用し、切欠き２６の部位にスイッチ１９が配置された状態では、キャップを外し、開口した穴からスイッチ１９の操作部２３を露出させた状態でスイッチ取付板１８に固定できるなどの構成を採ることが考えられる。
【００２７】
以上説明したように本実施形態によれば、カバー１３をケース１７より取り外し、スイッチ取付板１８は、カバー１３に取付いたまま、スイッチ取付板１８に設けた、取付穴２０より、スイッチ１９をスイッチ取付板１８へ意匠面より取り付け、かつスイッチ１９同士の隙間に、間仕切り材２２をスイッチ取付板１８へ意匠面より取り付けるのみで、操作スイッチの追加を行なうことができ、操作スイッチ追加作業を簡易化し、作業時間の短縮及び塵埃による接触不良等の問題低減を図ることができる。
【００２８】
このように、従来構造のスイッチのようにスイッチ取付板の裏面より押し当て、スイッチ取付板に設けた締結穴を用い、ネジにより締結する方式と比べ、スイッチの追加を容易に行なうことができ、かつスイッチを着脱自在とする方式と比べ、スイッチ間の隙間を塞ぐことにより、作業時間の短縮及び塵埃による接触不良等の問題を低減できる。
【００２９】
なお、本実施形態ではエレベーター装置に適用された例を挙げて説明したが、本発明はこれに限られるものではなく、さまざまな機器に適用することができる。
【００３０】
しかしエレベーター装置は、エアコンやかご内の照明を初め、安全装置などのさまざまな機器の動作を操作するスイッチが乗りかごの操作スイッチ部１５に集中して設けられるため、配線が複雑である上、さまざまな機能を新たに追加したり、逆に今まで使用していた機能が不要になったりした際には、このような機器に関わるスイッチの撤去や追加が必要になる。その際、エレベーター装置を停止させて入れ替え作業を行うのであるが、本発明の構成を適用することで交換作業が容易に行えるため、エレベーター装置を使用できない時間を短縮できる。また、簡単な交換作業を行える機能を有しながら、塵埃や油汚れの多い昇降路内において、スイッチ間の隙間を塞ぎ、塵埃や油汚れなどに起因する不具合の発生を低減できるという利点がある。
【符号の説明】
【００３１】
１  昇降路
２  ガイドレール
３  乗りかご
４  釣合い錘
５  主ロープ
６  巻上機
７  かご枠
８  かご室
９  天井
１０  かご床
１１  側板
１２  運転盤
１３  カバー
１４  操作ボタン
１５  操作スイッチ部
１６  操作スイッチカバー
１７  カバー
１８  スイッチ取付板
１９  スイッチ
２０  取付穴
２１  ガイド溝
２２  間仕切り材
２３  操作部
２４  ケース
２５  突出部
２６  切欠き
２７  接続端子
１００  従来のスイッチ取付板
１０１  スイッチ
１０２  切欠き穴
１０３  ネジ
【図１】
2013229134.tif 000003
【図２】
2013229134.tif 000004
【図３】
2013229134.tif 000005
【図４】
2013229134.tif 000006
【図５】
2013229134.tif 000007
【図６】
2013229134.tif 000008
【図７】
2013229134.tif 000009
【図８】
2013229134.tif 000010